(57)【要約】    【課題】通話路の安定化を図るとともに親機の消費電力を削減する。    【解決手段】玄関子機２を親機１および増設親機３に順に接続し、玄関子機から呼出されて玄関子機と親機または増設親機の一方との間で通話を行なうインターホンシステムであって、親機の玄関子機、増設親機への給電回路１２を共用化し、玄関子機と増設親機の電源供給・通話ラインＬ１、Ｌ２を直結し親機と増設親機間の電源供給・通話ラインに玄関子機との通話路をそれぞれ確保し玄関子機との通話を成立させるための通話路切替スイッチ１３、３３を設けることにより、親機または増設親機が非通話状態時に通話路から切り離して玄関子機と親機または増設親機間の通話に対し、非通話状態の親機または増設親機が通話路に対する影響を回避すると共に親機または増設親機から玄関子機へのパンチルト信号、親機と増設親機間での通話開始・終了信号等のデータ信号を電源供給・通話ラインを介して伝送させる。    【選択図】図１
2005294928.tif 000002
【特許請求の範囲】
【請求項１】
玄関子機（２）を親機（１）および増設親機（３）に順に接続し、前記玄関子機から呼出されて前記玄関子機と前記親機または前記増設親機の一方との間で通話を行なうインターホンシステムであって、
前記親機の前記玄関子機、前記増設親機への給電回路（１２）を共用化し、前記玄関子機と前記増設親機の電源供給・通話ライン（Ｌ１、Ｌ２）を直結し、
前記親機と前記増設親機間の前記電源供給・通話ラインに前記玄関子機との通話路をそれぞれ確保し前記玄関子機との通話を成立させるための通話路切替スイッチ（１３、３３）を設けることにより、前記親機または前記増設親機が非通話状態時に前記通話路から切り離して前記玄関子機と前記親機または前記増設親機間の通話に対し、非通話状態の前記親機または前記増設親機が前記通話路に対する影響を回避すると共に前記親機または前記増設親機から前記玄関子機へのパンチルト信号、前記親機と前記増設親機間での通話開始・終了信号等のデータ信号を前記電源供給・通話ラインを介して伝送することを特徴とするインターホンシステム。
【請求項２】
前記玄関子機と前記親機間の通話路の電気的バランスを保つための親機ハイブリット回路（１４）および前記玄関子機と前記増設親機間の通話路の電気的バランスを保つための増設親機ハイブリット回路（３４）をそれぞれ備えたことを特徴とする請求項１記載のインターホンシステム。
【請求項３】
前記通話路切替スイッチのＯＮ、ＯＦＦと連動して前記玄関子機との通話時にハウリングを起こさないように通話系の電気的バランスをとるマッチング抵抗（１５、３５）を備えたことを特徴とする請求項１または請求項２記載のインターホンシステム。
【請求項４】
前記親機および前記増設親機は、待受時にミュートがかかり、前記玄関子機との通話時にミュートが解除される送話アンプ（１６ａ、３６ａ）および受話アンプ（１６ｂ、３６ｂ）をそれぞれ備えたことを特徴とする請求項１乃至請求項３何れか１項記載のインターホンシステム。
【発明の詳細な説明】
【技術分野】
【０００１】
本発明は、インターホンシステムに係わり、特に通話路の安定化を図るとともに親機の消費電力を削減することができるインターホンシステムに関する。
【背景技術】
【０００２】
従来から、この種のインターホンシステムとして、玄関子機を、親機を介して増設親機に接続してなるものが知られている（例えば、特許文献１参照）。
【０００３】
ここで、親機は、玄関子機と通話を行なう増設親機の送受器のフックアップを検出するフックアップ検出回路と、フックアップ検出回路のフックアップ検出信号が入力されるＣＰＵの制御により増設親機への電源供給ラインを介して電源供給を行なう増設親機給電回路とを備え、増設親機給電回路は、フックアップ検出時にＣＰＵによりオンされる制御用トランジスタと、制御用トランジスタがオンのとき増設親機への電源供給を行なう電源供給用トランジスタと、電源供給ラインがショートされているとき電源供給用トランジスタによって電源供給ラインへ電源供給が行なわれた場合、制御用トランジスタへのバイアスを減少させてオフさせるバイアス減少回路とを備えている。
【０００４】
このような構成のインターホンシステムによれば、親機と増設親機を接続するラインが誤接続等で短絡された場合、親機に設けられた電源回路及び電源給電回路等の回路を保護することができる。
【０００５】
ところで、このような構成のインターホンシステムにおいては、親機内に、上述の増設親機給電回路の他に、直流電源を玄関子機へ給電するための玄関子機給電回路が設けられており、また、玄関子機と親機間の通話路の電気的バランスを保つための玄関子機・親機間ハイブリット回路と、増設親機と親機間の通話路の電気的バランスを保つための増設親機・親機間ハイブリット回路とが設けられている。
【０００６】
このため、従来のインターホンシステムにおいては、第１に、玄関子機と増設親機が通話する際に、親機のハイブリット回路を介することから、親機の消費電力が増加するという難点がある。
【０００７】
第２に、玄関子機給電回路と増設親機給電回路が別体で親機内部に設けられていることから部品点数が増加するという難点がある。
【０００８】
第３に、玄関子機と増設親機間の通話時において、通話信号が親機に設けられた玄関子機・親機間ハイブリット回路と増設親機・親機間ハイブリット回路とを通過することから、通話路の電気的なバランスが不安定になり、ひいてはハウリングを生じる虞があった。
【０００９】
【特許文献１】特開平１０−１０７９１１号公報  （段落番号「００３９」、図１）
【発明の開示】
【発明が解決しようとする課題】
【００１０】
本発明は、上述の難点を解消するためになされたもので、玄関子機と増設親機とを接続する親機の通話回路およびデータ送受信回路を簡素化することにより、通話路の安定化を図るとともに親機の消費電力を削減することができるインターホンシステムを提供することを目的としている。
【課題を解決するための手段】
【００１１】
本発明の第１の態様であるインターホンシステムは、玄関子機を親機および増設親機に順に接続し、玄関子機から呼出されて玄関子機と親機または増設親機の一方との間で通話を行なうインターホンシステムであって、親機の前記玄関子機、増設親機への給電回路を共用化し、玄関子機と増設親機の電源供給・通話ラインを直結し、親機と増設親機間の電源供給・通話ラインに玄関子機との通話路をそれぞれ確保し玄関子機との通話を成立させるための通話路切替スイッチを設けることにより、親機または増設親機が非通話状態時に通話路から切り離して玄関子機と親機または増設親機間の通話に対し、非通話状態の親機または増設親機が通話路に対する影響を回避すると共に親機または増設親機から玄関子機へのパンチルト信号、親機と増設親機間での通話開始・終了信号等のデータ信号を電源供給・通話ラインを介して伝送するものである。
【００１２】
本発明の第２の態様は、本発明の第１の態様であるインターホンシステムにおいて、玄関子機と親機間の通話路の電気的バランスを保つための親機ハイブリット回路および玄関子機と増設親機間の通話路の電気的バランスを保つための増設親機ハイブリット回路をそれぞれ備えたものである。
【００１３】
本発明の第３の態様は、本発明の第１の態様または第２の態様であるインターホンシステムにおいて、通話路切替スイッチのＯＮ、ＯＦＦと連動して玄関子機との通話時にハウリングを起こさないように通話系の電気的バランスをとるマッチング抵抗を備えたものである。
【００１４】
本発明の第４の態様は、本発明の第１の態様乃至第３の態様の何れかの態様であるインターホンシステムにおいて、親機および増設親機は、待受時にミュートがかかり、玄関子機との通話時にミュートが解除される送話アンプおよび受話アンプをそれぞれ備えたものである。
【発明の効果】
【００１５】
本発明の第１の態様乃至第４の態様のインターホンシステムによれば、次のような効果がある。
【００１６】
第１に、玄関子機への給電回路と増設親機への給電回路とを共用化していることから、従来のインターホンシステムのように、親機に玄関子機給電回路と増設親機給電回路を別体で設ける必要がなくなり、ひいては部品点数を減らすことができる。
【００１７】
第２に、親機ハイブリット回路を介することなく、玄関子機と増設親機間で通話することができることから、通話路の安定化を図ることができ、ひいてはハウリングを生じる虞がなくなる。
【００１８】
第３に、玄関子機通話路スイッチをＯＮ・ＯＦＦさせることで、玄関子機と増設親機間のラインを直結できることから、玄関子機と増設親機間を接続する親機の通話回路およびデータ送受信回路を簡素化することができる。
【００１９】
第４に、ハイブリット回路を削減することで、親機における消費電力を削減することができる。
【発明を実施するための最良の形態】
【００２０】
以下、本発明のインターホンシステムを適用した実施の形態例について、図面を参照して説明する。ここで、図１は、本発明の一実施例におけるインターホンシステムのブロック図を示している。
【００２１】
同図において、本発明のインターホンシステムは、室内に設置され第１〜第４の親機端子Ｔ１ａ〜Ｔ１ｄを有する親機１と、戸外に設置される玄関子機２と、室内に設置され第１、第２の増設親機端子Ｔ３ａ、Ｔ３ｂを有する増設親機３とを備えている。ここで、親機１は第１の伝送路Ｌ１を介して玄関子機２に、第２の伝送路Ｌ２を介して増設親機３にそれぞれ接続されている。なお、第１の伝送路Ｌ１は第１、第２の子機伝送路Ｌ１ａ、Ｌ１ｂで、第２の伝送路Ｌ２は第１、第２の親機伝送路Ｌ２ａ、Ｌ２ｂでそれぞれ構成されている。
【００２２】
次に、親機１は、玄関子機２との通話路を確保するための玄関子機通話路スイッチ１０、商用電源（ＡＣ１００Ｖ）から２次側電源を作るためのＡＣ/ＤＣ電源回路１１、玄関子機２および増設親機３へ電源を供給するための給電回路１２、玄関子機２との通話を成立させるために玄関子機２との通話路を確保するための通話路切替スイッチ（以下「親機通話路切替スイッチ」という。）１３、玄関子機２と親機１間の通話路の電気的バランスを保つためのハイブリット回路（以下「親機ハイブリット回路」という。）１４、玄関子機２との通話時にハウリングを起こさないように通話系の電気的バランスをとるマッチング抵抗（以下「親機マッチング抵抗」という。）１５、待受時にミュートがかかり、玄関子機２との通話時にミュートが解除される送話アンプ（以下「親機送話アンプ」という。）１６ａおよび受話アンプ（以下「親機受話アンプ」という。）１６ｂ、送受話の音声信号とデータ信号を分離するための第１、第２のハイパスフィルタ（以下「第１、第２の親機ハイパスフィルタ」という。）１７ａ、１７ｂ、玄関子機２や増設親機３に対し動作開始等のデータ信号を送るためのデータ送信回路（以下「親機データ送信回路」という。）１８ａ、玄関子機２や増設親機３からのデータ信号を受け取るためのデータ受信回路（以下「親機データ受信回路」という。）１８ｂ、玄関子機２と通話するためのマイク（以下「親機マイク」という。）１９ａおよびスピーカ（以下「親機スピーカ」という。）１９ｂ、各部（回路）を制御するための親機ＣＰＵ２０を備えている。また、親機ハイブリット回路１４は、第１、第２のアンプ（以下「第１、第２の親機アンプ」という。）１４ａ、１４ｂを備えている。ここで、第１の親機端子Ｔ１ａは玄関子機通話路スイッチ１０および第１の子機伝送路Ｌ１ａを介して玄関子機２に接続され、第２の親機端子Ｔ１ｂは接地され、第２の子機伝送路Ｌ１ｂを介して玄関子機２に接続されている。また、給電回路１２は、玄関子機通話路スイッチ１０、ＡＣ/ＤＣ電源回路１１、第３の親機端子Ｔ１ｃ、親機通話路切替スイッチ１３の一方側および第２の親機アンプ１４ｂの入力側に接続され、親機通話路切替スイッチ１３の他方側には親機マッチング抵抗１５を介して第１の親機アンプ１４ａの出力側が接続され、第２の親機アンプ１４ｂの出力側には第２の親機ハイパスフィルタ１７ｂを介して親機データ受信回路１８ｂが、親機受話アンプ１６ｂを介して親機スピーカ１９ｂがそれぞれ接続されている。さらに、第１の親機アンプ１４ａの入力側は第１の親機ハイパスフィルタ１７ａを介して親機データ送信回路１８ａに、親機送話アンプ１６ａを介して親機マイク１９ａにそれぞれ接続されている。
【００２３】
増設親機３は、親機１から供給される電源を受け取る受電回路３１、玄関子機２との通話を成立させる通話路を確保するための通話路切替スイッチ（以下「増設親機通話路切替スイッチ」という。）３３、玄関子機２と増設親機３間の通話路の電気的バランスを保つためのハイブリット回路（以下「増設親機ハイブリット回路」という。）３４、玄関子機２との通話時にハウリングを起こさないように通話系の電気的バランスをとるマッチング抵抗（以下「増設親機マッチング抵抗」という。）３５、待受時にミュートがかかり、玄関子機２との通話時にミュートが解除される送話アンプ（以下「増設親機送話アンプ」という。）３６ａおよび受話アンプ（以下「増設親機受話アンプ」という。）３６ｂ、送受話の音声信号とデータ信号を分離するための第１、第２のハイパスフィルタ（以下「第１、第２の増設親機ハイパスフィルタ」という。）３７ａ、３７ｂ、親機１に対し動作開始等のデータ信号を送るためのデータ送信回路（以下「増設親機データ送信回路」という。）３８ａ、親機１からのデータ信号を受け取るためのデータ受信回路（以下「増設親機データ受信回路」という。）３８ｂ、玄関子機２または親機１と通話するためのマイク（以下「増設親機マイク」という。）３９ａおよびスピーカ（以下「増設親機スピーカ」という。）３９ｂ、各部（回路）を制御するための増設親機ＣＰＵ４０の各部（回路）を備えている。また、増設親機ハイブリット回路３４は、第１、第２のアンプ（以下「第１、第２の増設親機アンプ」という。）３４ａ、３４ｂを備えている。ここで、第１の増設親機端子Ｔ３ａは受電回路３１、増設親機通話路切替スイッチ３３の一方側、および第２の増設親機アンプ３４ｂの入力側並びに第１の親機伝送路Ｌ２ａを介して第３の親機端子Ｔ１ｃに接続され、第２の増設親機端子Ｔ３ｂは接地され、第２の親機伝送路Ｌ２ｂを介して接地された第４の親機端子Ｔ１ｄに接続されている。また、増設親機通話路切替スイッチ３３の他方側は増設親機マッチング抵抗３５を介して第１の増設親機アンプ３４ａの出力側に接続され、第２の増設親機アンプ３４ｂの出力側には第２の増設親機ハイパスフィルタ３７ｂを介して増設親機データ受信回路３８ｂが、増設親機受話アンプ３６ｂを介して増設親機スピーカ３９ｂがそれぞれ接続されている。さらに、第１の増設親機アンプ３４ａの入力側は第１の増設親機ハイパスフィルタ３７ａを介して増設親機データ送信回路３８ａに、増設親機送話アンプ３６ａを介して増設親機マイク３９ａにそれぞれ接続されている。
【００２４】
次に、このように構成された本発明のインターホンシステムの動作について説明する。
【００２５】
先ず、給電回路１２には、音声帯域においては通話路から見てインピーダンスが高く、電源側から見てインピーダンスが低くなるように構成され、電源と音声信号を重畳するのに用いられるインピーダンスアッパー回路が内蔵されている。また、ＡＣ/ＤＣ電源回路１１により変換された直流電源は、給電回路１２、玄関子機通話路スイッチ１０および第１の伝送路Ｌ１を介して玄関子機２の受電回路（不図示）へ、給電回路１２および第２の伝送路Ｌ２を介して増設親機３の受電回路３１へそれぞれ供給されている。これにより、玄関子機２の受電回路から玄関子機２の各部（回路）に待受電源が供給され、増設親機３の受電回路３１から増設親機３の各部（回路）に待受電源が供給される。さらに、親機送話アンプ１６ａおよび親機受話アンプ１６ｂは、ミュート回路またはミュート端子（不図示）を備えており、親機ＣＰＵ２０の制御により通常ミュートがかかっており、玄関子機２との通話状態のときのみミュートが解除されるように構成され、また、これと同様に、増設親機送話アンプ３６ａおよび増設親機受話アンプ３６ｂも、ミュート回路またはミュート端子（不図示）を備えており、増設親機ＣＰＵ４０の制御により通常ミュートがかかっており、玄関子機２との通話状態のときのみミュートが解除されるように構成されている。
【００２６】
このような状態において、玄関子機２から親機１および増設親機３に対して呼出信号が送出され、かかる呼出信号が親機ＣＰＵ２０および増設親機ＣＰＵ４０でそれぞれ検出されると、それぞれ親機ＣＰＵ２０および増設親機ＣＰＵ４０の制御により、それぞれ親機スピ−カ１９ｂ、増設親機スピ−カ３９ｂから呼出音が放音される。
【００２７】
ここで、居住者が増設親機３の応答ボタン（不図示）を押下して、玄関子機２と増設親機３が通話状態に入ると、増設親機ＣＰＵ４０の制御により、増設親機３の増設親機データ送信回路３８ａから増設親機３が通話に入ったことを通知するデータ信号（以下「増設親機通話開始データ信号」という。）が、第１の増設親機ハイパスフィルタ３７ａ、第１の増設親機アンプ３４ａ、増設親機マッチング抵抗３５、増設親機通話路切替スイッチ３３、第１の増設親機端子Ｔ３ａ、第１の親機伝送路Ｌ２ａ、第３の親機端子Ｔ１ｃ、第２の親機アンプ１４ｂおよび第２の親機ハイパスフィルタ１７ｂを介して親機データ受信回路１８ｂへ送信される。
【００２８】
かかる増設親機通話開始データ信号が親機データ受信回路１８ｂで受信されると、親機ＣＰＵ２０の制御により、親機１の玄関子機通話路スイッチ１０がＯＮされて玄関子機２との通話路が形成される。また、これとともに、親機データ送信回路１８ａから、通話開始許可のデータ信号（以下「通話開始許可データ信号」という。）が出力され、この通話開始許可データ信号が、第１の親機ハイパスフィルタ１７ａ、第１の親機アンプ１４ａ、親機マッチング抵抗１５、親機通話路切替スイッチ１３、第３の親機端子Ｔ１ｃ、第１の親機伝送路Ｌ２ａ、第１の増設親機端子Ｔ３ａ、第２の増設親機アンプ３４ｂ、第２の増設親機ハイパスフィルタ３７ｂを介して増設親機データ受信回路３８ｂへ送信される。
【００２９】
かかる通話開始許可データ信号が増設親機データ受信回路３８ｂで受信されると、増設親機３側での通話可能が確定すると共に増設親機ＣＰＵ４０の制御により、増設親機通話路切替スイッチ３３がＯＮされて、増設親機マッチング抵抗３５により玄関子機２と増設親機３間の通話路の電気的バランスがとられ、また、増設親機送話アンプ３６ａと増設親機受話アンプ３６ｂのミュートが解除される。これにより、第１の伝送路Ｌ１、親機１および第２の伝送路Ｌ２（以下、第１の伝送路Ｌ１および第２の伝送路Ｌ２を「電源供給・通話ライン」という」という。）を介して玄関子機２と増設親機３間の通話路が形成される。
【００３０】
ここで、親機通話路切替スイッチ１３はＯＦＦ状態にあることから、玄関子機２と増設親機３の通話路には影響を与えず、玄関子機２と増設親機３間の通話信号は親機ハイブリット回路１４を介することなく、相互に伝送される。
【００３１】
以上のように、本発明のインターホンシステムによれば、玄関子機２と増設親機３間が通話している間は、親機１ではＡＣ/ＤＣ電源回路１１、給電回路１２、第２のアンプ１４ｂと親機データ受信回路１８ｂは動作状態にあるものの、その他の各部（回路）は待受状態であるため、親機１における消費電力は待受時における消費電力と同等の状態になる。従って、本発明のインターホンシステムによれば、従来のインターホンシステムと比較して親機１における消費電力を削減することができる。
【００３２】
一方、玄関子機２と増設親機３間の通話が終了すると、増設親機ＣＰＵ４０の制御により、増設親機データ送信回路３８ａから通話が終了したことを通知するデータ信号（以下「増設親機通話終了データ信号」という。）が出力され、この増設親機通話終了データ信号が前述の増設親機通話開始データ信号と同様の経路を経由して親機データ受信回路１８ｂへ送信される。
【００３３】
かかる増設親機通話終了データ信号が親機データ受信回路１８ｂで受信されると、親機ＣＰＵ２０の制御により、親機１の玄関子機通話路スイッチ１０がＯＦＦされ玄関子機２との通話路が切り離される。また、これとともに、親機データ送信回路１８ａから、通話終了を確認したことを通知するデータ信号（以下「通話終了確認データ信号」という。）が出力され、この通話終了確認データ信号が前述の通話開始許可データ信号と同様の経路を経由して増設親機データ受信回路３８ｂへ送信される。
【００３４】
かかる通話終了確認データ信号が増設親機データ受信回路３８ｂで受信されると、増設親機ＣＰＵ４０の制御により、増設親機３側での通話が不能となり、増設親機通話路切替スイッチ３３がＯＦＦされて、増設親機送話アンプ３６ａと増設親機受話アンプ３６ｂにミュートがかけられ、これにより、待受状態に移行する。
【００３５】
次に、玄関子機２と親機１が通話状態に入ると、親機ＣＰＵ２０の制御により、親機データ送信回路１８ａから親機１が通話に入ったことを通知するデータ信号（以下「親機通話開始データ信号」という。）が前述の通話開始許可データ信号と同様の経路を経由して増設親機データ受信回路３８ｂへ送信される。
【００３６】
かかる親機通話開始データ信号が増設親機データ受信回路３８ｂで受信されると、増設親機ＣＰＵ４０の制御により、増設親機データ送信回路３８ａから、親機１が通話状態に移行したことを確認する信号（以下「親機通話確認データ信号」という。）が出力され、この親機通話確認データ信号が前述の増設親機通話開始データ信号と同様の経路を経由して親機データ受信回路１８ｂに送信される。
【００３７】
かかる親機通話確認データ信号が親機データ受信回路１８ｂで受信されると、親機ＣＰＵ２０の制御により、玄関子機通話路スイッチ１０がＯＮされて、玄関子機２との通話路が形成される。また、これと共に親機通話路切替スイッチ１３がＯＮされ、親機マッチング抵抗１５により玄関子機２と親機１間の通話路の電気的バランスがとられ、親機送話アンプ１６ａと親機受話アンプ１６ｂのミュートが解除される。これにより、第１の伝送路Ｌ１（電源供給・通話ライン）を介して玄関子機２と親機１間の通話路が形成される。
【００３８】
ここで、居住者がパンチルトボタン（不図示）を操作すると、かかる操作が親機ＣＰＵ２０で検出され、親機ＣＰＵ２０からパンチルト信号が出力され、当該パンチルト信号が第１の伝送路Ｌ１（電源供給・通話ライン）を介して玄関子機２へ送出される。
【００３９】
一方、玄関子機２と親機１間の通話が終了すると、親機ＣＰＵ２０の制御により、玄関子機通話路切替スイッチ１０、通話路切替スイッチ１３がＯＦＦされ、親機送話アンプ１６ａと親機受話アンプ１６ｂにミュートがかけられて、待受状態に移行すると共に、親機データ送信回路１８ａから通話が終了したことを通知するデータ信号（以下「親機通話終了データ信号」という。）が出力され、この親機通話終了データ信号が前述の通話開始許可データ信号と同様の経路を経由して増設親機データ受信回路３８ｂへ送信される。
【００４０】
かかる親機通話終了データ信号が増設親機データ受信回路３８ｂで受信されると、増設親機ＣＰＵ４０により、親機１が待受状態へ移行したことが認識され、増設親機３の各部（回路）も待受状態へ移行する。
【産業上の利用可能性】
【００４１】
前述の実施例においては、玄関子機と親機、または玄関子機と増設親機間の通話について述べているが、親機と増設親機間で通話しても、本発明のインターホンシステムと同様の効果を奏する。
【図面の簡単な説明】
【００４２】
【図１】本発明の一実施例におけるインターホンシステムのブロック図。
【符号の説明】
【００４３】
１・・・親機
１２・・給電回路
１３・・・通話路切替スイッチ（親機）
１４・・・ハイブリット回路（親機親機ハイブリット回路）
１５・・・マッチング抵抗（親機マッチング抵抗）
１６ａ・・・送話アンプ（親機送話アンプ）
１６ｂ・・・受話アンプ（親機受話アンプ）
２・・・玄関子機
３・・・増設親機
３３・・・通話路切替スイッチ（増設親機）
３４・・・ハイブリット回路（増設親機ハイブリット回路）
３５・・・マッチング抵抗（増設親機マッチング抵抗）
３６ａ・・・送話アンプ（増設親機送話アンプ）
３６ｂ・・・受話アンプ（増設親機受話アンプ）
Ｌ１、Ｌ２・・・第１、第２の伝送路（電源供給・通話ライン）
【図１】
2005294928.tif 000003